(57)【特許請求の範囲】
【請求項１】
リフトレバーと、第１の端部と第２の端部を有し、該第1の端部が前記リフトレバーに接続されているカム従動アームと、該カム従動アームに接続されたカム従動節と、前記カム従動アームの前記第２の端部に接続された駆動リンクと、該駆動リンクに接続された駆動リンクローラーと、該駆動リンクローラーの動作を案内する案内斜面とを有する、平坦な製品を積重ねたパイルを持ち上げるリフト装置。
【請求項２】
前記案内斜面がピポット点の周りに回転可能である、請求項１に記載のリフト装置。
【請求項３】
前記案内斜面が、各々が前記ピポット点を定める窪みを有する一対のブシュに接続されている、請求項２に記載のリフト装置。
【請求項４】
前記案内斜面が、該案内斜面の回転量を調整する調整機構に接続されている、請求項３に記載のリフト装置。
【請求項５】
前記調整機構が、前記案内斜面を回転させる手段と、前記案内斜面を所定の回転位置に固定する手段とを布している、請求項４に記載のリフト装置。
【請求項６】
前記案内斜面を回転させる前記手段が、前記案内斜面に接続された移動可能な棒を含んでいる、請求項５に記載のリフト装置。
【請求項７】
前記案内斜面を回転させる前記手段が、前記棒を動かし所定の位置に固定するためのノブを有している、請求項６に記載のリフト装置。
【請求項８】
前記案内斜面を所定位置へと回転させるステップと、前記所定位置に前記案内斜面を固定するステップとを有する、請求項４に記載のリフト装置のリフトレバーのリフト量調整方法。
【請求項９】
前記装置が、前記案内斜面に接続された棒と、該棒に接続されたノブと、前記案内斜面とを有し、回転させることで前記棒を押す前記ノブを回すことにより前記案内斜面が前記所定位置に回転させられる、請求項８に記載のリフト量調整方法。
【請求項１０】
前記リフトレバーの乗り上げ面を有する、請求項１に記載のリフト装置のリフトレバーのリフト方法であって、前記案内斜面を前記乗り上げ面の角度位置と異なる角度位置へと回転させるステップと、前記駆動リンクローラを前記案内斜面に沿って動かすステップとを有するリフト方法。
【発明の詳細な説明】
【０００１】
【発明の属する技術分野】
本発明は、平坦な製品の積重ね（パイル）、特に枚葉紙や折丁を積重ねたパイルのリフト装置に関する。
【０００２】
【従来の技術】
小冊子、雑誌、新聞、定期刊行物などを含む本の製本技術においては、丁合装置を用いることがよく知られている。これらの装置は通常搬送装置を有しており、搬送装置上で本一冊分の折丁や枚葉紙のような平坦な製品が集められ、ブックブロックのセットにされ製本される。搬送装置は、角背のような物を含むあらゆる種類の物の搬送装置であり、サドルコンベヤーやポケット給送機が用いられる。ポケット給送機は通常、本一冊分の構成物（ブックブロック）が集められ、また、追加の枚葉紙や折丁のいわゆる挿入物が加えられる複数のポケットを有している。通常、搬送装置に沿って多数のホッパが配置され、各ホッパは、ブックブロックのセットを漸時形成し、またはポケット給送機のポケットあるいはポケット内に配置された新聞に補遺の枚葉紙を挿入するために、折丁のパイルから平坦な個々の製品を搬送装置へ搬送する搬送機構を有している。個々の枚葉紙や折丁はパイルの一番下から供給されるので、供給動作が行われる間パイルを持ち上げることができ、パイルの一番下の平坦物を支持するリフト装置が必要である。
【０００３】
この種のリフト装置は当該技術において既に知られており、図４を参照して説明する。従来のリフト装置１０は、ピポット軸１２と、調整リンク１４と、パイルリフトフィンガー１６の３つの部分に分けられる。調整リンク１４はピポット軸１２とカム従動アーム（不図示）とにクランプされている。カム従動アームは、カム従動アームを動作させる主ホッパドライブ軸上のカムに接続されている。アームがピポット回転すると、アームはピポット軸１２と調整リンク１４とを回転させる。調整リンク１４に取り付けられたローラー１８は、リフトフィンガー１６を押し上げ、そして下方に案内する。したがって、パイルリフトフィンガー１６は図４の位置ＡとＢ間の間で矢印で示した経路に沿って、移動することができる。パイルリフトフィンガー１６のリフト（持ち上げ）の高さは、ノブ１５を回して調整ねじ１９を回転させることで調整できる。ロックノブ１７は、この位置を保持するために用いられる。
【０００４】
【発明が解決しようとする課題】
上記の構成のリフト装置では、リフト動作中に調整機構自身が上下に動作するので、リフト動作中にリフト高さを調整することができないことは明らかである。さらに、リフト動作の間に調整量がずれるため、調整機構のまわりに個別に保護する手段を設ける必要がある。
【０００５】
したがって、本発明の目的は、従来技術のこのような欠点を克服し、調整機構がパイルのリフトフィンガーの動作と共に動かない、平坦物のパイル、特にホッパ内の枚葉紙や折丁のパイルを持ち上げるリフト装置を提供することにある。
【０００６】
本発明の他の目的は、リフトフィンガーの動作中（飛行中〔on the fly〕）に、好ましくは道具を使用せずに高い位置と低い位置とにリフト量を調整できるリフト装置を提供することにある。
【０００７】
【課題を解決するための手段】
前記の目的および後述の説明によって明らかになる本発明の他の目的を達成するために、本発明のリフト装置は、リフトレバーと、第１の端部と第２の端部を有し、第1の端部がリフトレバーに接続されているカム従動アームと、カム従動アームに接続されたカム従動節と、カム従動アームの第２の端部に接続された駆動リンクと、駆動リンクに接続された駆動リンクローラと、駆動リンクローラの動作を案内する案内斜面とを有することを特徴とする。
【０００８】
この構成により、リフト装置の動作中に著しく小さい質量を動かさねばならない。さらに、リフトレバーの下方位置を変えることなくリフト量を調整できるので、リフト装置がホッパーの部品に対して与える衝撃を小さくできる。この結果、騒音および摩耗を低減できる。
【０００９】
【発明の実施の形態】
次に、本発明の実施の形態について図面を参照して説明する。
【００１０】
まず、図１を参照すると、本発明によるリフト装置の斜視図が示されている。リフト装置２０はハウジング２１内に配置されており、軸３０の周りに回転可能に取り付けられたリフトレバー２２を有している。カム２６が、カム従動アーム２４上に取り付けられたカム従動節２８（図２，３参照）を動作させる。カム従動アーム２４の第１の端部は軸３２に接続されており、第２の端部は駆動リンク３４の第１の端部に接続されている。駆動リンク３４の第２の端部には、少なくとも１つの駆動リンクローラ３６が取り付けられている。３つの駆動リンクローラ３６を設け、そのうちの１つは他の２つの間に配置し、この外側の２つのローラが案内斜面３８に乗るようにすることが好ましい。案内斜面３８はハウジング２１上に回転可能に取り付けられており、リベットピンまたはネジ４２で表わされるピポット点４０の周りを回転する。
【００１１】
案内斜面３８はピポット点４０の周りにピポット可能である。案内斜面３８の角度位置は所望の値に調整可能である。
【００１２】
本発明によるリフト装置の概略側面図である図２を参照すると、案内斜面３８がゼロ角度位置にセットされ、この結果ホッパーの供給動作の間、いわゆる「非リフト動作」になっている。リフト装置２０はカムで駆動される装置であるので、カム従動アーム２４はカム２６に接触するカム従動節２４を有している。カム２６は、複数のカム部分を形成する不規則な形状を有している。カム２６は４つの部分、すなわち下側停止部分と、上昇部分と、上側停止部分と、下降部分を有していることが好ましい。下方停止部分の間、リフト装置２０は最初の停止位置にある。カム２６が回転すると、カム従動節２８はカム２６の不規則な形状に追随し、カム従動アーム２４は軸３２の周りを回転する。カム従動アーム２４が回転すると、カム従動アーム２４は駆動リンク３４を動かし、駆動リンク３４の一端に取り付けられた駆動リンクローラ３６が案内斜面３８に沿って移動する。案内斜面３８が、案内斜面３８の表面がリフトレバー２２の乗り上げ面４４と平行である、いわゆる「ゼロ位置」以外の角度位置にあるとき、リフトフィンガーは、案内斜面３８の角度位置に応じて一定量だけ動く。図２に示すゼロ位置では、駆動リンクローラ３６が乗り上げ面４４を押し上げないので、リフトフィンガーは上昇しない。
【００１３】
しかしながら、案内斜面３８はピポット点４０の周りに回転可能に取り付けられているので、案内斜面３８の角度位置を変えることができる。これは、案内斜面３８をねじ４２またはリベットピンによってブシュ対およびハウジング２１に対して固定するための窪みを各々が有するブシュ対に案内斜面３８を接続することによって行うことが好ましい。案内斜面３８の角度位置を調整するために、案内斜面３８の回転量を調整する、図３に示す調整機構が設けられている。この調整機構は、調整ノブ４６と、調整棒４８と、案内斜面３８に接続されたリンク継ぎ手５０とを有している。調整ノブ４６を回すと、調整棒４８を引っ張り、案内斜面３８がピポット点４０の周りに回転させられる。このようにして、案内斜面３８を実質的にいかなる角度位置にも調整できる。案内斜面３８をゼロ位置以外の角度位置に調整すると、案内斜面３８と乗り上げ面４４との間の空間は小さくなり、その結果、駆動リンクローラ３６が図３の破線で示した３６’の位置へと前進するたびに、リフトレバー２２は、調整機構を動かすことなく低い位置Ａから、高い位置Ｂに移動する。
【００１４】
案内斜面３８のピポット点は、リフトレバー２２の非リフト位置でもあるローラ３６の背面位置内の中心と一致することが好ましい。したがって、案内斜面３８の角度位置がどのように変化にしても、案内斜面３８を駆動リンクローラ３６の中心の周りに回転させることが必要になる。この結果、リフトレバー２２の下側位置は変わらない。
【００１５】
案内斜面３８の回転量により、駆動リンク３４と駆動リンクローラ３６の動きに応じてリフトレバー２２のリフト量が決められる。
【００１６】
図１に既に示したように、駆動リンク３４には複数の駆動リンクローラ３６、例えば、３つの駆動リンクローラ３６を同軸に接続することが好ましい。これらの駆動リンクローラ３６は並んで配置されているので、外側の２つの駆動リンクローラ３６は、リフト装置２０のハウジング２１内に位置するブッシング上の所望の角度位置へ前にピポット回転させられた案内斜面３８上に乗り上げる。真中の駆動リンクローラ３６は、乗り上げ面４４を押し上げることにより案内斜面３８の角度に対してリフトレバー２２を押す。
【００１７】
前述のリフト装置２０においては、セットアップ時間を短くするいかなる追加の道具を用いることなく調整操作を行うことができる。動作中調整機構が動くことはないので、案内斜面３８の角度位置およびリフトレバー２２のリフト量の調整をリフト装置２０の動作中に行うことができる。さらに、リフトレバー２２の下方位置を変えることなくリフト量を調整できるので、システムがホッパの部品に与える衝撃は少ない。
【００１８】
本発明を純粋に一例によって説明してきたが、本発明の範囲内において、詳細部分の変更が可能であることが勿論理解されるであろう。
【００１９】
詳細に分析することなく、前述の内容は、本発明の要旨を完全に明らかにしているので、他人が従来技術から見てこの発明の包括的なまたは特定の態様の本質的特徴をかなり構成する特徴を省くことなしに、現在の知識を適用することより、種々の応用に対して合わせることが可能であり、したがってそのような変更は請求範囲の相当物の意味と範囲に含まれるべきであり、含まれることを意図している。
【図面の簡単な説明】
【図１】本発明によるパイルリフトの斜視図である。
【図２】非リフト位置にあるパイルリフトの概略側面図である。
【図３】リフト位置にあるパイルリフトの概略側面図である。
【図４】従来例のパイルリフトの概略側面図である。
【符号の説明】
１０    リフト装置（従来例）
１２    軸
１４    調整リンク
１５    調整ノブ
１６    積層物リフトフィンガー
１７    ロックノブ
１８    ローラー
１９    調整ねじ
２０    リフト装置
２１    ハウジング
２２    リフトレバー
２４    カム従動アーム
２６    カム
２９    カム従動節
３０    軸
３２    軸
３４    駆動リンク
３６    駆動リンクローラ
３８    案内斜面
４０    ピポット点
４２    ねじ
４６    調整ノブ
４８    調整棒
【図１】
0004442968.tif 000002
【図２】
0004442968.tif 000003
【図３】
0004442968.tif 000004
【図４】
0004442968.tif 000005